(57)【要約】【課題】外側に別の靴下を着用可能な薄手で簡略な構造ながら確実に湿気の逃げを抑えて皮膚の乾燥を防止でき、製造しやすくコストダウンが図れると共に、皮膚との親和性を向上させて装着感に優れる保湿サポータを提供する。【解決手段】サポータ１をなす略筒状体の踵を含む所定部分に非透湿性略シート状体２０を加熱圧着で一体に配設し、サポータ踵部分に非透湿性を与えることにより、強固に一体化した略シート状体２０圧着部分が足のどのような動きに対しても破損しにくく、且つ踵位置からずれることなく乾燥防止機能を一定の状態に維持でき、踵部分の皮膚を乾燥から守って皮膚の角質化を防げると共に、略シート状体２０の加熱圧着はごく短時間で行えることとなり、製造の効率を高められ、コストダウンが図れる。【選択図】  図１
2004332128.tif 000002
【特許請求の範囲】
【請求項１】
伸縮性を有する略筒状体として編成され、足の少なくとも踵部分を含む一部を覆う保湿サポータにおいて、
足への装着状態で少なくとも踵部分を包囲する所定部位に、合成樹脂材料製の非透湿性略シート状体を加熱圧着されて一体化されることを
特徴とする保湿サポータ。
【請求項２】
前記請求項１に記載の保湿サポータにおいて、
前記略シート状体が、サポータ内面側に設けられて足に当接可能となることを
特徴とする保湿サポータ。
【請求項３】
前記請求項２に記載の保湿サポータにおいて、
前記略シート状体が、遠赤外線放射性セラミックスを含有する及び／又はコーティングされることを
特徴とする保湿サポータ。
【請求項４】
前記請求項２又は３に記載の保湿サポータにおいて、
前記略シート状体が、絹タンパク質を含有する及び／又はコーティングされることを
特徴とする保湿サポータ。
【請求項５】
前記請求項２ないし４のいずれかに記載の保湿サポータにおいて、
前記略シート状体が、キトサンを含有する及び／又はコーティングされることを
特徴とする保湿サポータ。
【請求項６】
前記請求項２ないし５のいずれかに記載の保湿サポータにおいて、
前記非透湿性略シート状体は、前記略筒状体内面に装着された状態で外面に向かって加熱圧着され、前記踵部分の少なくとも底面に対応する前記略筒状体の編目より合成樹脂材料が延出されることを
特徴とする保湿サポータ。
【発明の詳細な説明】
【０００１】
【発明の属する技術分野】
本発明は、足に装着され、足裏、特に踵部における皮膚（角質）の乾燥を防ぐ保湿サポータに関する。
【０００２】
【従来の技術】
足に直接着用されて、靴を履いた際に生じる汗や湿気を吸収したり、足を保護したりする靴下の中で、冬期等、乾燥が著しく皮膚が乾燥し角質化しやすい場合に、乾燥防止靴下として、足に直接着用して湿気の逃げを抑え、乾燥による足部の皮膚、特に踵部分の角質化防止を図るものが従来から利用されてきた。こうした従来の乾燥防止靴下の一例として、実用新案登録第３０３２８０３号公報に開示されるものが有り、これを図４に示す。この図４は従来の乾燥防止靴下の概略構成断面図である。
【０００３】
前記図４において従来の乾燥防止靴下１００は、伸縮性のある内層１０１と外層１０２との二重構造とされ、これら内層１０１と外層１０２との間に着用時における踵対応部分をちょうど包囲する程度の大きさの略袋状の非透湿性シート１０３を介在させてなる構成である。非透湿性シート１０３は、周縁を内層１０１に縫付けられて内層１０１外側の踵対応位置に保持される。
上記従来の乾燥防止靴下１００は、着用状態で皮膚からの水分あるいは湿気の逃散が非透湿性シート１０３で遮断されることから、踵部分の皮膚の乾燥・角質化を防止可能であった。
【０００４】
【発明が解決しようとする課題】
従来の乾燥防止靴下は以上のように構成されており、内層１０１と外層１０２をそれぞれ靴下状に編成・縫製後、非透湿性シート１０３を縫着し、内外層を重ね合せる手順で製造されるため、製造工程が複雑で手間がかかるという課題を有していた。また、非透湿性シート１０３が靴下踵部分と完全に一体化していないため、履いた際に違和感が残る上、一体に伸縮しない分、部分的に力が集中して加わって破れる危険性もあるという課題を有していた。加えて、靴下全体が内層１０１と外層１０２の二重構造で厚くなることが避けられず、外側に別の靴下を着用して外観を変えようとしても着用に困難を伴うという課題を有していた。
【０００５】
本発明は前記課題を解消するためになされたもので、外側に別の靴下を着用可能な薄手で簡略な構造ながら確実に湿気の逃げを抑えて皮膚の乾燥を防止でき、製造しやすくコストダウンが図れると共に、皮膚との親和性を向上させて装着感に優れる保湿サポータを提供することを目的とする。
【０００６】
【課題を解決するための手段】
本発明に係る保湿サポータは、伸縮性を有する略筒状体として編成され、足の少なくとも踵部分を含む一部を覆う保湿サポータにおいて、足への装着状態で少なくとも踵部分を包囲する所定部位に、合成樹脂材料製の非透湿性略シート状体を加熱圧着されて一体化されるものである。
このように本発明においては、保湿サポータをなす略筒状体の踵を含む所定部分に非透湿性略シート状体を加熱圧着で一体に配設し、保湿サポータの踵部分に非透湿性を与えることにより、強固に一体化した略シート状体圧着部分が足のどのような動きに対しても破損しにくく、且つ踵位置からずれることなく乾燥防止機能を一定の状態に維持でき、踵部分の皮膚を乾燥から守って皮膚の角質化を防げると共に、略シート状体の加熱圧着はごく短時間で行えることとなり、製造の効率を高められ、コストダウンが図れる。また、略シート状体がサポータ地と一体化されることで厚さを薄くしても十分な強度が得られ、略シート状体の存在に対する違和感を軽減でき、着用感を向上させられると共に、保湿サポータを二重構造とする必要がなく、薄手の構造として外側にデザインの優れた靴下を着用できるなど、重ね履きの制約をなくせる。
【０００７】
また、本発明に係る保湿サポータは必要に応じて、前記略シート状体が、サポータ内面側に設けられて足に当接可能となるものである。
このように本発明においては、略シート状体部分を保湿サポータ内面側に位置させ、略シート状体部分を直接足に当接させることにより、非透湿性の略シート状体部分と足との間に隙間が生じず、略シート状体部分が足の動きに追随して湿気の逃散を確実に抑えられ、踵乾燥防止性能をより一層高められる。
【０００８】
また、本発明に係る保湿サポータは必要に応じて、前記略シート状体が、遠赤外線放射性セラミックスを含有する及び／又はコーティングされるものである。このように本発明においては、遠赤外線放射性セラミックスが略シート状体に含まれ、足に接する略シート状体部分で遠赤外線放射性セラミックス特有の機能を与えられることにより、足の略シート状体当接部分で水分の逃散を防ぐ以外に、略シート状体の遠赤外線放射性セラミックスから遠赤外線が放射され、この遠赤外線の放射に伴い、足の血行が促進されて保温状態となる他、抗菌・消臭作用を発揮するなど、足の略シート状体当接部分に対し好ましい影響を与えられることとなり、製品としての品質を高められる。
【０００９】
また、本発明に係る保湿サポータは必要に応じて、前記略シート状体が、絹タンパク質を含有する及び／又はコーティングされるものである。
このように本発明においては、絹タンパク質が略シート状体に含まれ、足に接する略シート状体部分で絹タンパク質特有の機能を与えられることにより、足の略シート状体当接部分で水分の外部への逃散を防ぐことに加えて、通気性と共に過剰な湿分に対する吸湿性を有するなど、絹タンパク質の優れた調湿性能を発揮させられ、踵をはじめとする足の保湿状態を適切に調整して足の略シート状体当接部分にしっとり感と共に心地よいさらさら感を与えられ、肌触りを大きく向上させられる。
【００１０】
また、本発明に係る保湿サポータは必要に応じて、前記略シート状体が、キトサンを含有する及び／又はコーティングされるものである。
このように本発明においては、キトサンが略シート状体に含まれ、足に接する略シート状体部分でキトサン特有の機能を与えられることにより、足の略シート状体当接部分で水分の逃散を防ぐ以外に、略シート状体上で不快臭の基となる微生物の増殖を抑えるなど、キトサンの優れた抗菌・消臭性能を発揮させられ、踵をはじめとする足の保湿を図りつつ、皮膚に対し低刺激性のキトサンで安全に非透湿性部分の清潔な状態を維持でき、製品としての品質を高められる。
【００１１】
さらに、本発明に係る保湿サポータは必要に応じて、非透湿性略シート状体は、前記略筒状体内面に装着された状態で外面に向かって加熱圧着され、前記踵部分の少なくとも底面に対応する前記略筒状体の編目より合成樹脂材料が延出されるものである。
このように本発明においては、網目状に編成される略筒状体の踵部分に対応する内面から非透湿性シート状体の合成樹脂材料を加熱延出させるようにしているので、略筒状体の外側へ合成樹脂材料が突出して防滑突起部が形成されることとなり、サポータ装着時の滑りによる転倒を防止することができる。
【００１２】
【発明の実施の形態】
（本発明の第１の実施形態）
以下、本発明の第１の実施形態を図１及び図２に基づいて説明する。図１は本実施の形態に係る保湿サポータの着用状態側面図、図２は本実施の形態に係る保湿サポータの概略構成斜視図である。
前記各図において本実施形態に係る保湿サポータ１は、伸縮性を有する略筒状体として編成されて足５０の踵部分を含む一部を覆う薄手のサポータ本体１０と、このサポータ本体１０の踵部分内側に一体に加熱、圧着される非透湿性シート２０とを備える構成である。
【００１３】
前記サポータ本体１０は、ナイロン及びポリウレタン弾性糸が素材として使用され、一体に連続する略筒状に編上げられた後、各開口端部をリブ部１１として縫製される従来の靴下同様の編成方法により編成され、着用状態で足の甲及び土踏まずの中間部分から足首までの間を覆う形状とされてなる構成である。前記リブ部１１は、他の部分に比べて、同じ伸び量であってもより強い復元力が得られるような編み方で編成され、着用時のずれを防ぐ構成である。なお、前記サポータ本体１０は、ナイロン及びポリウレタン弾性系の素材以外に又はこれらに加えて綿、シルク、その他の未燃繊維で構成することもできる。
【００１４】
前記非透湿性シート２０は、ポリウレタン樹脂を主材料とする略シート状体で形成され、サポータ本体１０の踵部分に重ねられ、全面でサポータ本体１０へ一体に加熱圧着される構成である。この非透湿性シート２０表面には、複数の物質を混合した薬品（コーティング剤）を塗布する。この薬品としては、遠赤外線放射性セラミックス（二酸化ケイ素、酸化アルミニウム、酸化マグネシウムなど）の水溶液、絹タンパク質（フィブロイン）の粉末、キトサンの粉末等を所定の割合で混合し、均一な分散状態とした液状剤を用いる。
【００１５】
次に、本実施形態に係る保湿サポータの製造工程について説明する。はじめに、サポータ本体１０として踵部等の形状を適切に与えた一体の略筒状体を編成した後、この略筒状体の各開口端部を縫製する等適切な端部処理を施せば、サポータ本体１０の完成状態となる。
【００１６】
サポータ本体１０が得られた後、サポータ本体１０への非透湿性シート２０の取付けは、まず、裏返して内面を表にしたサポータ本体１０、特に踵部分を、普通に足に履いて伸張した状態まで強制的に上下左右に引伸ばす。この引伸ばした状態のサポータ本体１０に、所定形状に切揃えた非透湿性シート２０をちょうどサポータ本体１０の踵部分に当てがい、プレス装置で非透湿性シート２０をサポータ本体１０に加熱圧着して一体化する。こうして踵部分では非透湿性シート２０全面がサポータ本体１０の編組織に食込む状態でサポータ本体１０と強固に一体化し、サポータ本体１０の変形、伸縮を経ても容易には分離しない状態となる。
【００１７】
続いて、本実施形態に係る保湿サポータの使用状態について説明する。保湿サポータ１の一端開口部に足先を入れてそのまま足５０に被せていき、一端開口部を足首部分まで引上げると共に、他端開口部をちょうど足５０の甲から土踏まずにかけての周囲に位置させ、保湿サポータ１を足５０の着用対象位置にぴったり合わせればサポータ着用状態となる。非透湿性シート２０は薄く、非透湿性シート２０のない通常のサポータや靴下と比べても着用感はほとんど変らない。
【００１８】
この状態では、サポータ本体１０各部分が足５０にフィットして密着すると共に、リブ部１１がサポータ本体１０の開口部位置を保持しており、歩行の際など足５０の動きが大きくなる場合でも、サポータ本体１０が足５０に対し大きくずれることはなく、非透湿性シート２０と踵との位置関係も変化せず、踵部分の皮膚からの湿気の逃散を直接踵部に接している非透湿性シート２０で確実に防止でき、踵部分の乾燥を確実に防いで肌の潤いを保てる。
【００１９】
また、サポータ本体１０内面に非透湿性シート２０が位置することから、前記保湿作用と共に、非透湿性シート２０表面にコーティングされた遠赤外線放射性セラミックス成分の遠赤外線放射による保温効果、絹タンパク質成分の吸湿性に伴う調湿作用、キトサン成分による抗菌、消臭作用等が加わることとなり、踵においては、保湿による潤い維持と合わせて心地よい着用感が得られる。一方、足５０の爪先部分はサポータ本体１０外へ露出状態となることにより、各足指への通気性を確保でき、仮に就寝時に保湿サポータ１を着用したままでも足５０の違和感もなく、睡眠を阻害しない。
【００２０】
この保湿サポータ１着用状態から、必要に応じて外側へさらに靴下を重ね履きすることもでき、この重ね履きの際、薄手のサポータ本体１０は外側の靴下を介して表面に浮き出ることもなく、外観を損ねない。さらに、足先はサポータ本体１０に覆われていない分、各足指の蒸れを防止できる。
【００２１】
このように、本実施の形態に係る保湿サポータにおいては、サポータ本体１０の踵部分に非透湿性シート２０を加熱圧着で一体に配設し、サポータ踵部分に非透湿性を与えることから、強固に一体化した非透湿性シート２０圧着部分が足のどのような動きに対しても破損しにくく、且つ踵位置からずれることなく乾燥防止機能を一定の状態に維持でき、踵部分の皮膚を乾燥から守って皮膚の角質化を防げると共に、非透湿性シート２０の加熱圧着はごく短時間で行えることとなり、製造の効率を高められ、コストダウンが図れる。また、非透湿性シート２０がサポータ本体１０と一体化することで厚さを薄くしても十分な強度が得られ、非透湿性シート２０の存在に対する違和感を軽減でき、着用感を向上させられる。
【００２２】
（本発明のその他の実施形態）
本発明の他の実施形態に係る保湿サポータを図３に基づいて説明する。同図において本実施形態に係る保湿サポータは、前記第１の実施形態に係る保湿サポータ１と同様にサポータ本体１０の踵部分内側に一体に加熱、圧着される非透湿性シート２０を備え、この構成に加え、この加熱、圧着をサポータ本体１０の踵部分内面に装着された熱可塑性樹脂シートに対して加え、前記踵部分の底面に対応するサポータ本体１０の編目より熱可塑性樹脂が圧出されて防滑突起部２１を形成する構成である。
【００２３】
次に、前記構成に基づく本実施形態に係る保湿サポータの製作動作及び機能について説明する。まず、前記実施形態の場合と同様にサポータ本体１０の踵部分内側に非透湿性シート２０を装着し、サポータ本体１０の踵部分を複数方向から伸張させてサポータ本体１０の編目１２を拡開させ、この編目１２が拡開されたサポータ本体１０の内側から非透湿性シート２０を加熱、押圧する。
【００２４】
この加熱、押圧により非透湿性シート２０の熱可塑性樹脂材が編目１２に進入すると共に、拡開して編目１２から圧出されて防滑突起部２１を形成する。この熱可塑性樹脂材が編目１２に進入及び拡開した編目１２から圧出して防滑突起部２１を形成することにより、投錨的に非透湿性シート２０がサポータ本体１０に強固に装着できると共に、簡易且つ確実に防滑突起部２１を形成することができることとなる。
また、この防滑突起部２１がサポータ本体１０の踵部分に形成されることにより、装着時の滑り等による転倒を未然に防止できることとなる。
【００２５】
なお、前記各実施の形態に係る保湿サポータにおいては、非透湿性シート２０として熱可塑性樹脂製のシートを用いる構成としているが、サポータ本体１０との強固な一体化が可能であれば、他の非透湿性を有する略シート状素材を使用する構成とすることもでき、特に丈夫で安価な素材やフィット感が良好な素材を選択して、一層のコストダウンを図ったり、より商品価値を高めたりすることもできる。
【００２６】
また、前記各実施の形態に係る保湿サポータにおいては、非透湿性シート２０表面に機能性物質を複数混合した薬品を塗布する構成としているが、各種物質をはじめから非透湿性シート２０をなす合成樹脂材料中に練り込んで、各成分を非透湿性シート２０内部に含有させる構成とすることもでき、各種物質が洗濯等を経ても失われにくく、各物質の機能をより長期にわたり持続させられる。
さらに、前記各実施形態に係る保湿サポータにおいては、つま先部分を開放したサポータとする構成としたが、つま先部分を開放しない靴下タイプのサポータとする構成とすることもできる。
【００２７】
【発明の効果】
以上のように本発明によれば、保湿サポータをなす略筒状体の踵を含む所定部分に非透湿性略シート状体を加熱圧着で一体に配設し、保湿サポータの踵部分に非透湿性を与えることにより、強固に一体化した略シート状体圧着部分が足のどのような動きに対しても破損しにくく、且つ踵位置からずれることなく乾燥防止機能を一定の状態に維持でき、踵部分の皮膚を乾燥から守って皮膚の角質化を防げると共に、略シート状体の加熱圧着はごく短時間で行えることとなり、製造の効率を高められ、コストダウンが図れるという効果を奏する。また、略シート状体がサポータ地と一体化されることで厚さを薄くしても十分な強度が得られ、略シート状体の存在に対する違和感を軽減でき、着用感を向上させられると共に、保湿サポータを二重構造とする必要がなく、薄手の構造として外側にデザインの優れた靴下を着用できるなど、重ね履きの制約をなくせるという効果を有する。
【００２８】
また、本発明によれば、略シート状体部分を保湿サポータ内面側に位置させ、略シート状体部分を直接足に当接させることにより、非透湿性の略シート状体部分と足との間に隙間が生じず、略シート状体部分が足の動きに追随して湿気の逃散を確実に抑えられ、踵乾燥防止性能をより一層高められるという効果を有する。
【００２９】
また、本発明によれば、遠赤外線放射性セラミックスが略シート状体に含まれ、足に接する略シート状体部分で遠赤外線放射性セラミックス特有の機能を与えられることにより、足の略シート状体当接部分で水分の逃散を防ぐ以外に、略シート状体の遠赤外線放射性セラミックスから遠赤外線が放射され、この遠赤外線の放射に伴い、足の血行が促進されて保温状態となる他、抗菌・消臭作用を発揮するなど、足の略シート状体当接部分に対し好ましい影響を与えられることとなり、製品としての品質を高められるという効果を有する。
【００３０】
また、本発明によれば、絹タンパク質が略シート状体に含まれ、足に接する略シート状体部分で絹タンパク質特有の機能を与えられることにより、足の略シート状体当接部分で水分の外部への逃散を防ぐことに加えて、通気性と共に過剰な湿分に対する吸湿性を有するなど、絹タンパク質の優れた調湿性能を発揮させられ、踵をはじめとする足の保湿状態を適切に調整して足の略シート状体当接部分にしっとり感と共に心地よいさらさら感を与えられ、肌触りを大きく向上させられるという効果を有する。
【００３１】
また、本発明によれば、キトサンが略シート状体に含まれ、足に接する略シート状体部分でキトサン特有の機能を与えられることにより、足の略シート状体当接部分で水分の逃散を防ぐ以外に、略シート状体上で不快臭の基となる微生物の増殖を抑えるなど、キトサンの優れた抗菌・消臭性能を発揮させられ、踵をはじめとする足の保湿を図りつつ、皮膚に対し低刺激性のキトサンで安全に非透湿性部分の清潔な状態を維持でき、製品としての品質を高められるという効果を有する。
【００３２】
さらに、網目状に編成される略筒状体の踵部分に対応する内面から非透湿性シート状体の合成樹脂材料を加熱延出させるようにしているので、略筒状体の外側へ合成樹脂材料が突出して防滑突起部が形成されることとなり、サポータ装着時の滑りによる転倒を防止することができるという効果を有する。
【図面の簡単な説明】
【図１】本発明の第１の実施形態に係る保湿サポータの着用状態側面図である。
【図２】本発明の第１の実施形態に係る保湿サポータの概略構成斜視図である。
【図３】本発明の他の実施形態に係る保湿サポータの概略断面構成図である。
【図４】従来の乾燥靴下の概略構成断面図である。
【符号の説明】
１            保湿サポータ
１０          サポータ本体
１１          リブ部
１２          編目
２０、１０３  非透湿性シート
２１          防滑突起部
５０          足
１００        乾燥防止靴下
１０１        内層
１０２        外層
【図１】
2004332128.tif 000003
【図２】
2004332128.tif 000004
【図３】
2004332128.tif 000005
【図４】
2004332128.tif 000006